(57)【要約】      （修正有）【課題】固定物に杖を確実に保持することができる上、杖を使用するときには、その部分を折り曲げて杖に係止すれば、小型で軽量なため、杖に着けたまま携行することができる杖保持具を提供する。【解決手段】杖に係着する係着部１と、所定の固定物に挟着する挟着部２と、係着部１及び挟着部２を蝶着する蝶着部と、を備えた。挟着部２は、蝶着部に軸着されたものであって、固定物の狭着方向に合わせて自在に回転する。蝶着部は、係着部１又は挟着部２の回動を規制する規制部材を備え、少なくとも係着部１及び挟着部２が重なる位置から水平になる位置までは自在に回動する。【選択図】図１
0003153047.tif 000002
【実用新案登録請求の範囲】
【請求項１】
杖に係着する係着部と、所定の固定物に挟着する挟着部と、前記係着部及び前記挟着部を蝶着する蝶着部と、を備えたことを特徴とする杖保持具。
【請求項２】
前記挟着部は、前記蝶着部に軸着されたものであって、前記固定物の狭着方向に合わせて自在に回転することを特徴とする請求項１項記載の杖保持具。
【請求項３】
前記蝶着部は、前記係着部又は前記挟着部の回動を規制する規制部材を備え、少なくとも前記係着部及び前記挟着部が重なる位置から水平になる位置までは自在に回動することを特徴とする請求項１又は２記載の杖保持具。
【請求項４】
前記係着部は、板ばねにより形成されたリング状部材であって、該リング状部材の開放端を拡巾して前記杖に係着することを特徴とする請求項１から３のうち何れか１項記載の杖保持具。
【請求項５】
前記挟着部は、板ばねにより形成されたリング状部材であって、該リング状部材の開放端それぞれに、前記固定物を狭着する挟み翼を有することを特徴とする請求項１から４のうち何れか１項記載の杖保持具。
【請求項６】
前記固定物に前記杖を保持するときは、該固定物に挟着する前記挟着部の高さに合わせて、前記係着部が該杖に係着する位置を調整することを特徴とする請求項１から５のうち何れか１項記載の杖保持具。
【請求項７】
前記杖を使用するときは、前記挟着部を前記固定物から解放し、解放した該挟着部を該杖に挟着することを特徴とする請求項６記載の杖保持具。
【考案の詳細な説明】
【技術分野】
【０００１】
本考案は、杖をテーブルなどの固定物に保持するための杖保持具に関するものである。
【背景技術】
【０００２】
杖をつきながら外出したとき、立ち止まって電話をしたい場合や、バックからものを取り出したい場合には杖を持つ手をフリーにする必要がある。そのため、杖の上部に輪状のひもをつけ、そのひもに腕を通して杖を吊るす方法が考えられる。しかし、その方法は、杖の重さが腕にかかるばかりか、杖がぶらぶらして邪魔になるという欠点がある。そこで、杖やステッキを吊り掛けるフック本体と、杖吊掛具本体と、を備え、腰やベルト、肩掛けカバンに杖を着脱可能に吊すことができる携帯用杖掛具が提案されている（特許文献１参照）。また、フックに代わり、安全ピンで被服などに止めて吊すステッキハンガー（特許文献２参照）、あるいはステッキの下部位置に着脱可能な取付部を取付け、その取付部の側面にステッキを支える脚片を底面に接するように設け、その脚片を足で踏むことで杖の転倒を防止できるステッキ転倒防止具が提案されている（特許文献３参照）。
さらに、レストランなどで食事をする場合に、テーブルやいすなどに杖を立て掛けておくと、杖が倒れやすく、足の不自由な人が、倒れた都度かがんで杖を拾い上げるのは痛々しい。そこで、線材を屈曲形成したフックと、面ファスナーとを備え、杖に面ファスナーを巻き付け、フックで椅子などに掛け止めることができる杖用掛け止め具が提案されている（特許文献４参照）。この方法は、大きさの異なる杖であっても適用可能であり、フックの角度や大きさを自在に変えることにより、色々な固定物に杖を掛け止めることができる。反面、使用の都度、杖に面ファスナーを着脱しなければならないという煩わしさがある。そこで、杖を保持する保持部と天板に載置する載置部とを備え、その載置部をテーブルの天板に載せると杖の重量で載置部の端が回動し、載置部と天板との摩擦力により載置部が天板から滑落しないように構成された杖保持具が提案されている（特許文献５参照）。
【先行技術文献】
【特許文献】
【０００３】
【特許文献１】特開２００４−２９０６４８号公報
【特許文献２】特開２００４−２０９００１号公報
【特許文献３】特開２００６−２３９３７号公報
【特許文献４】特開２００２−１７７０２７号公報
【特許文献５】特開２００４−３５０９７０号公報
【考案の概要】
【考案が解決しようとする課題】
【０００４】
しかしながら、被服に杖を吊るす方法は、椅子などに座ったときに杖が邪魔になり、脚片を足で踏むことによって転倒を防止する方法は、絶えず脚片を足で踏み続ける必要がある上、脚片により杖が重くなってしまい使い勝手が悪い。また、杖の保持部と載置部とからなる杖保持具は、杖を蹴られたときはもとより、床面やテーブルが振動したときでも、杖が転倒することがあるので不安定である。
本考案は、上記の事情に鑑み、固定物に杖を確実に保持することができる上、杖を使用するときは、杖に取り付けたまま携行することが可能な、軽量、かつ小型の杖保持具を提供することを目的とする。
【課題を解決するための手段】
【０００５】
本考案の杖保持具は、杖に係着する係着部と、所定の固定物に挟着する挟着部と、上記係着部及び上記挟着部を蝶着する蝶着部と、を備えたことを特徴とする。
このように固定物に挟着する構成にすれば、杖を蹴られたり、床やテーブルが振動しても、杖を確実に保持することができる上、挟着部を折り曲げ、杖に取り付けたまま携行することができる。
ここで上記挟着部は、上記蝶着部に軸着されたものであって、上記固定物の狭着方向に合わせて自在に回転することが好ましく、また、上記蝶着部は、上記係着部又は上記挟着部の回動を規制する規制部材を備え、少なくとも上記係着部及び上記挟着部が重なる位置から水平になる位置までは自在に回動することも好ましい。
このように構成することにより上記固定物への狭着が容易になり、また杖を固定物に、より確実に保持することができる。
さらに、上記係着部は、板ばねにより形成されたリング状部材であって、該リング状部材の開放端を拡巾して上記杖に係着することや、上記挟着部は、板ばねにより形成されたリング状部材であって、該リング状部材の開放端それぞれに、上記固定物を狭着する挟み翼を有することも好ましい。
このように係着部や挟着部を板ばねで構成すれば、小型化、軽量化が図れる。
また、上記杖を上記固定物に保持するときは、該固定物に挟着する上記挟着部の高さに合わせて、上記係着部が該杖に係着する位置を調整すれば、バランスよく固定物に杖を確実に保持することができる。さらに、上記杖を使用するときは、上記挟着部を上記固定物から解放し、解放した該挟着部を該杖に狭着すれば、いつでも、どこでも携行することができる。
【考案の効果】
【０００６】
本考案の杖保持具によれば、杖を固定物に確実に狭着することができるので、杖を蹴られたり、杖を保持する床やテーブルが振動しても、杖を確実に保持することができる。また、係着部や挟着部を薄い板ばねで構成すれば、小型化、軽量化が図れる。
【図面の簡単な説明】
【０００７】
【図１】図１は、本実施形態の杖保持具の使用状態を示す斜視図である。
【図２】図２は、本実施形態の杖保持具を示す平面図である。
【考案を実施するための形態】
【０００８】
以下に、本考案の杖保持具の実施形態について説明する。
図１は、本実施形態の杖保持具の使用状態を示す斜視図であり、図２は、本実施形態の杖保持具を示す平面図である。
図１及び図２に示すように、本実施形態の杖保持具１０は、杖に係着する係着部１と、所定の固定物に挟着する挟着部２と、係着部１及び挟着部２を蝶着する蝶着部３と、を備えている。
係着部１は、板ばねにより形成されたリング状部材１ａを有し、リング状部材１ａの一か所が切り開かれ、一対の開放端１ｂがある。そして、一対の開放端１ｂにより形成された開口４と対向する位置には、一対の係止部１ｃが設けられ、その係止部１ｃには、蝶着部３の一部をなす連結シャフト３ａ用の貫通孔１ｄが設けてある。
一対の開放端１ｂを手で拡巾し、拡げられた開口４からリング状部材１ａに杖２０を嵌め込み、板ばねの反発力によってリング状部材１ａを杖２０に係合させる。従って、通常状態におけるリング状部材１ａの径は、杖２０の径よりも小さい。
挟着部２は、板ばねにより形成されたリング状部材２ａを有し、リング状部材２ａの一か所が切り開かれ、切り開かれたリング状部材１ａの開放端それぞれには、固定物を狭着する挟み翼２ｂが形成されている。また、一対の挟み翼２ｂにより形成された開口５とは反対側に、挟着部２を蝶着部３の連結ピン３ｂに回転自在に軸着する穴２ｃが設けてある。一対の挟み翼２ｂを手で拡げ、拡げられた挟み翼２ｂで机、テーブルなどの固定物を挟み、リング状部材２ａの板ばねの反発力で固定物に挟着する。したがって、一対の挟み翼２ｂは、接触するか、あるいはわずかな間隙を隔てるように形成される。そして、椅子から立ち上がり、杖２０をついて歩きたいときは、一対の挟み翼２ｂを手で拡げて固定物から挟着部２を外し、外した挟着部２を回動させ、一対の挟み翼２ｂで杖２０を挟着するか、あるいは挟着部２を折り曲げ、杖２０と並行になるようにする。
【０００９】
蝶着部３は、連結シャフト３ａと、連結ピン３ｂとを備え、連結ピン３ｂは、さらに連結軸３ｃと、連結軸３ｃに連なる、二股に分かれた一対の中空の筒状部３ｄとを有する。連結シャフト３ａは、一対の係止部１ｃの貫通孔１ｄに通されて両端を螺子止めされる。連結ピン３ｂの連結軸３ｃは、挟着部２の穴２ｃに軸着され、一対の筒状部３ｄは、連結シャフト３ａに貫挿される。また、連結シャフト３ａのうちの筒状部３ｄが貫挿されていない部分には、コイルばね（本考案の「規制部材」に相当する。）６が巻回されている。そして、コイルばね６の一端６ａは、連結ピン３ｂに係止され、コイルばね６の他端６ｂは、係着部１に係止されている。したがって、係着部１と挟着部２は，相互が水平になる位置から重なる位置まで自在に回動するが、それ以上の回動は、コイルばね６の付勢力によって規制されるように構成されている。また、挟着部２は、連結ピン３ｂに軸着されているので、固定物を挟む向きが縦、横、斜めの如何を問わず、挟み翼２ｂを回転させることによりその固定物に狭着することができる。
ここで、本実施形態では、コイルばね６を規制部材として用いているが、規制部材は必ずしもコイルばね６に限る必要はなく、例えば、係着部１及び挟着部２が水平になる位置まで回動させたとき、ロックが掛かるように構成された係止部材を用いてもよい。また、規制部材自体、必ずしも必要としない。さらに、挟着部２は、板ばねにより形成されたリング状部材２ａを用いているが、必ずしもこの構成に限定する必要はなく、例えば、ばねなどで挟み翼２ｂを付勢しておき、付勢力に反するように押圧したら、挟み翼２ｂが拡がり固定物を挟むことができるように構成し、押圧する手を離すことにより、ばねの付勢力で固定物に保持されるように構成することもできる。
【００１０】
本実施形態の杖保持具１０は、杖２０をついて歩行するときは、係着部１におけるリング状部材１ａの開放端１ｂを手で拡巾し、拡巾されたリング状部材１ａに杖２０を嵌め込み、杖２０にリング状部材１ａを係合させる。そして、挟着部２を回動させて挟着部２の挟み翼２ｂで杖２０を挟着するか、あるいは杖２０に並行になるように折り曲げる。この場合、挟着部２は、コイルばね６によって係着部１と重なる方向に付勢されていれば、挟着部２を固定物から解放したとき、挟着部２は、自動的に杖２０に平行な位置（図１の破線で示す）まで回動する。そして、その位置で、挟み翼２ｂを手で杖２０側に押し込めば挟み翼２ｂは杖２０を挟み、狭着することができる。係着部１及び挟着部２は、板ばねにより形成されているので、軽量であり、本実施形態の杖保持具１０を杖２０に装着したまま歩行しても、重くなったという感覚はない。また、椅子に座るときは、固定物の高さに合わせて係着部１の係着位置を調整する。そして、挟着部２を回動し、杖２０がほぼ直立した状態で挟着部２の挟み翼２ｂを手で拡げ、テーブルなどの固定物を挟み翼２ｂで挟み、リング状部材２ａの板ばねの反発力によってテーブルなどに杖２０を保持する。この場合、杖２０係着している係着部１の高さと固定物を挟む挟着部２の高さが概ね一致していれば、コイルばね６がなくても杖２０と杖保持具１０と固定物とがバランスを保ち、固定物に杖２０を確実に保持することができる。
【符号の説明】
【００１１】
１    係着部
１ａ、２ａ  リング状部材
１ｂ  開放端
１ｃ  係止部
１ｄ  貫通孔
２    挟着部
２ｂ  挟み翼
２ｃ  穴
３    蝶着部
３ａ  連結シャフト
３ｂ  連結ピン
３ｃ  連結軸
３ｄ  筒状部
４、５  開口    
６    コイルばね
６ａ  一端
６ｂ  他端
１０  杖保持具
２０  杖
【図１】
0003153047.tif 000003
【図２】
0003153047.tif 000004